(57)【要約】      （修正有）【課題】操作の容易性及び安全性を高めた制御盤を提供する。【解決手段】ユーザが操作するユーザ操作部と、管理者が操作するメンテナンス操作部とを有する制御盤１において、開放することによりユーザ操作部が露出するユーザ扉２と、ユーザ扉２を開放した状態で開放することにより更にメンテナンス操作部が露出するメンテナンス扉３とを備えた。【選択図】図１
2006216621.tif 000002
【特許請求の範囲】
【請求項１】
ユーザが操作するユーザ操作部と、管理者が操作するメンテナンス操作部とを有する制御盤において、
開放することにより前記ユーザ操作部が露出するユーザ扉と、
前記ユーザ扉を開放した状態で開放することにより更に前記メンテナンス操作部が露出するメンテナンス扉と、
を備えたことを特徴とする制御盤。
【請求項２】
請求項１に記載の制御盤であって、
管理者が非常時に操作する非常操作部と、
前記ユーザ扉及び前記メンテナンス扉を開放した状態で開放可能な中扉であって、開放することにより前記非常操作部が露出する非常扉と、
を備えたことを特徴とする制御盤。
【請求項３】
請求項１又は請求項２に記載の制御盤であって、前記ユーザ扉及び前記メンテナンス扉の開閉方向と交差する移動方向を有する扉固定具により、前記ユーザ扉を開放した状態では前記ユーザ扉を、当該ユーザ扉に加えて前記メンテナンス扉を開放した状態では前記ユーザ扉及びメンテナンス扉を固定することを特徴とする制御盤。
【請求項４】
請求項３に記載の制御盤であって、前記扉固定具は、一端を当該扉固定具が前記開閉方向には移動せず当該開閉方向と交差する方向には回動自在となるように筐体内に固定され、もう一端にはローレットネジが設けられ、当該ローレットネジにより前記ユーザ扉又は前記メンテナンス扉を固定することを特徴とする制御盤。
【請求項５】
請求項３に記載の制御盤であって、前記扉固定具は、一端を当該扉固定具が前記開閉方向には移動せず当該開閉方向と交差する方向には回動自在となるように筐体内に固定され、もう一端には硬質ゴムが設けられ、当該硬質ゴムにより前記ユーザ扉又は前記メンテナンス扉を固定することを特徴とする制御盤。
【発明の詳細な説明】
【技術分野】
【０００１】
本発明は、操作の容易性及び安全性を高めた制御盤に関する。
【背景技術】
【０００２】
制御盤は、筐体内に制御機器を収容し、ユーザが日常的に行う機器の操作の際や、管理者が行う保守点検の際などに使用される。
このような制御盤は、充電部等の感電の危険を伴う機器を有しているため、特許文献１に開示されているように、一部の機器を通常触れない箇所に収容する手法が用いられている。
【０００３】
また、低圧配電盤などの制御盤の操作を行うために開閉する扉には、雨や埃などの落下物を避けるため、上側に開閉するものがある。上側に開閉する扉を固定する手法は、特許文献２や特許文献３に開示されているように、先端が屈曲した固定具を扉に係合させる手法が一般的である。
【特許文献１】登録実用新案第２５６３８４７号公報
【特許文献２】特許第３３９３８１６号公報
【特許文献３】特開平１１−１１５８１６号公報
【発明の開示】
【発明が解決しようとする課題】
【０００４】
ところで、特許文献１の技術では、感電の危険を伴う機器を通常触れない箇所に収容して安全性を図っているが、ユーザと、メンテナンスを行う管理者とで同一の操作部で作業を行うため、ユーザの操作の容易性が確保されていなかった。
【０００５】
また、特許文献２及び特許文献３の技術である扉の固定方法では、先端が屈曲した固定具を扉に係合するだけで固定しているため、操作中に手を当ててしまう場合などに固定が外れ、事故が起こる可能性があった。
【０００６】
本発明の課題は、上述した従来の実情に鑑みてなされたものであり、操作の容易性及び安全性を高めた制御盤を提供する。
【課題を解決するための手段】
【０００７】
本発明の第１の制御盤は、ユーザが操作するユーザ操作部と、管理者が操作するメンテナンス操作部とを有する制御盤において、開放することにより上記ユーザ操作部が露出するユーザ扉と、上記ユーザ扉を開放した状態で開放することにより更に上記メンテナンス操作部が露出するメンテナンス扉と、を備えたことを特徴とする。
【０００８】
本発明の第２の制御盤は、上記第１の制御盤であって、管理者が非常時に操作する非常操作部と、上記ユーザ扉及び上記メンテナンス扉を開放した状態で開放可能な中扉であって、開放することにより上記非常操作部が露出する非常扉と、を備えたことを特徴とする。
【０００９】
本発明の第３の制御盤は、上記第１又は第２の制御盤であって、上記ユーザ扉及び上記メンテナンス扉の開閉方向と交差する移動方向を有する扉固定具により、上記ユーザ扉を開放した状態では上記ユーザ扉を、上記ユーザ扉に加えて上記メンテナンス扉を開放した状態では上記ユーザ扉及び上記メンテナンス扉を固定することを特徴とする。
【００１０】
本発明の第４の制御盤は、上記第３の制御盤であって、上記扉固定具は、一端を上記扉固定具が上記開閉方向には移動せず上記開閉方向と交差する方向には回動自在となるように筐体内に固定され、もう一端にはローレットネジが設けられ、上記ローレットネジにより上記ユーザ扉又は上記メンテナンス扉を固定することを特徴とする。
【００１１】
本発明の第５の制御盤は、上記第３の制御盤であって、上記扉固定具は、一端を上記扉固定具が上記開閉方向には移動せず上記開閉方向と交差する方向には回動自在となるように筐体内に固定され、もう一端には硬質ゴムが設けられ、上記硬質ゴムにより上記ユーザ扉又は上記メンテナンス扉を固定することを特徴とする。
【発明の効果】
【００１２】
本発明の制御盤によれば、開放することによりユーザ操作部が露出するユーザ扉と、ユーザ扉を開放した状態で開放することにより更にメンテナンス操作部が露出するメンテナンス扉とを備えたことにより、ユーザは目的の機器のみが操作可能となり操作の容易性が向上する。
【００１３】
さらに、管理者が非常時に操作する非常操作部と、ユーザ扉及びメンテナンス扉を開放した状態で開放可能な中扉であって、開放することにより非常操作部が露出する非常扉とを備えることで、感電等の危険を伴う機器を通常触れない位置に収容でき、安全性が高まる。
【００１４】
また、ユーザ扉及びメンテナンス扉の開閉方向と交差する移動方向を有する扉固定具により、ユーザ扉を開放した状態ではユーザ扉を、ユーザ扉に加えてメンテナンス扉を開放した状態ではユーザ扉及びメンテナンス扉を固定することで、扉がはずれにくく固定され、安全性が高まる。
【００１５】
なお、扉固定具は、一端を扉固定具が上記開閉方向には移動せず開閉方向と交差する方向には回動自在となるように筐体内に固定され、もう一端にはローレットネジ又は硬質ゴムが設けられ、ローレットネジ又は硬質ゴムによりユーザ扉又はメンテナンス扉を固定することで、素手で頑強に固定可能となり、安全性が高まる。
【発明を実施するための最良の形態】
【００１６】
以下、本発明の実施の形態を、図面を参照しながら説明する。
図１は、実施の形態における制御盤のユーザ操作部を示す斜視図であり、図２は、実施の形態における制御盤のユーザ操作部を示す正面図である。制御盤１の筐体は、ユーザが操作時に開放するユーザ扉２と、管理者が操作時に開放するメンテナンス扉３との扉２重構造となっており、例えば筐体の前面、上面、及び側面の一部であるユーザ扉２と、前面、下面、及び側面の一部であるメンテナンス扉３と、筐体の背面板となり側面、上面、及び下面の一部でもある底板４とからなる。ユーザ扉２を開放することにより露出するユーザ操作部には、例えば温風暖房機を運転させる運転スイッチ６、例えば送風機運転用の送風機スイッチ９、運転設定を調節するコントローラ７などの主要操作機器を有する第１操作盤５と、図２に示すように、筐体内の左隅に電源ユニット８が設けられている。電源ユニット８には、電源スイッチ８ａ、電源接続端子台８ｂ、及びアース端子８ｃが設けられている。第１操作盤５上の運転スイッチ６の上部には、運転状態で点灯する運転ランプ６ａが設けられ、さらに上部には、異常が発生した際に点灯する警報ランプ１１が設けられている。また、ユーザ扉２には、開放しなくともコントローラ７や警報ランプ１１などが目視できるように、窓２ａが設けられている。なお、制御盤１は、好ましい一例を挙げただけであって、例えば筐体の側面や下面がすべて底板４からなるものでもよく、上記構成に限定されない。
【００１７】
図３は、実施の形態における制御盤のメンテナンス操作部を示す斜視図であり、図４は、実施の形態における制御盤のメンテナンス操作部を示す正面図である。管理者のみが操作するメンテナンス操作部は、図３及び図４に示すように、ユーザ扉２に加えてメンテナンス扉３を開放することで露出する操作部である。メンテナンス操作部には、ユーザ操作部の下部に、コントローラ７を手動操作して制御対象の装置を強制的に稼動させる強制スイッチ１３や機器間を結ぶ配線１４などが設けられている。これらの機器は、ユーザが操作するのが好ましくないため、メンテナンス操作部に設けられている。
【００１８】
図５は、実施の形態における制御盤の非常操作部を示す斜視図であり、図６は、実施の形態における制御盤の非常操作部を示す正面図である。管理者が非常時に操作する非常操作部は、図５及び図６に示すように、ユーザ扉２及びメンテナンス扉３に加えて、例えばネジを外すことにより中扉となる第１操作盤５を開放した状態で操作可能な第２操作盤１６である。第２操作盤１６には、電磁開閉器１７、警報ブザーなどの周辺機器用に用いられる接続端子１８、オプション機器などを使用するためのコネクタ１９、落雷の被害から機器を守る避雷素子２０などが設けられている。電流の開閉を行う電磁開閉器１７は、過電流が流れたときに装置を停止させる過負荷保護装置１７ａ、及び過負荷保護装置リセットボタン１７ｂを有している。また、第１操作盤５の背面及び第２操作盤１６上面には、第１操作盤５が閉じた状態で接続される連絡配線コネクタ２１が設けられている。
【００１９】
図７は、実施の形態における扉固定具（その１）を示す斜視図であり、図８は、実施の形態における扉固定具（その１）を示す分解斜視図である。扉固定具２２は、ユーザ扉２及びメンテナンス扉３を固定可能な構造となっており、例えばユーザ扉２及びメンテナンス扉３の支軸近傍の鍔部２３左端に一端を固定されている。扉固定具２２を少なくとも９０度以上に回動可能として、ユーザ扉２及びメンテナンス扉３の側面の開閉方向と交差させるため、鍔部２３との固定部に回動孔２２ａを例えば３箇所設け、ビス２４又はボルト、ナット２５、ワッシャー２６などを用いて中間板２７を介して固定される。このように固定することで、ユーザ扉２及びメンテナンス扉３の側面の開閉方向には移動しないようになっている。そして、もう一端をユーザ扉２の側面に設けられた図示しない切り欠き部、及びメンテナンス扉３にあけられた切り欠き部３００にローレットネジ２８により固定する。なお、扉固定具２２は、横方向に開閉する扉に縦方向に取り付けても問題ない。
【００２０】
図９は、実施の形態における扉固定具（その２）を示す分解斜視図である。図８と同様のものに関しては説明を省略する。図９に示す扉固定具２２では、硬質ゴム２９によりユーザ扉２の側面にあけられた丸穴（図示しないが、図１０の切り欠き部２００の位置に穿接される）及びメンテナンス扉３に設けられた丸穴３１に貫入して固定する。なお、扉の開閉方向と交差する移動方向に特徴があるため、固定方法は以上のものに限定されない。
【００２１】
以下、実施の形態における作用を、図１０乃至図１２を用いて説明する。
図１０は、実施の形態における制御盤のユーザ操作を説明する斜視図であり、同図（ａ）はユーザ扉の開放を示す斜視図であり、同図（ｂ）は扉固定具の固定を示す斜視図である。ユーザが操作を開始する際、同図（ａ）に示すように、ユーザ扉２を開放することによりユーザ操作部が露出する。そして、同図（ｂ）に示すように、ユーザ扉２の落下を防ぐため、ユーザ扉２の開閉方向と交差する方向から扉固定具２２を図２に示すように例えばローレットネジ２８により切り欠き部２００に固定する。ローレットネジ２８を用いる構造とした場合、操作者は素手で頑強に固定ができる。その後、運転スイッチ６やコントローラ７などのユーザ操作部の機器を操作する。
【００２２】
図１１は、実施の形態における制御盤のメンテナンス操作を説明する斜視図である。メンテナンスを行う管理者が操作を開始する際は、ユーザ扉２に加えて、メンテナンス扉３を開放することによりユーザ操作部に設けられた強制スイッチ１３などが露出する。そして、ユーザ扉２及びメンテナンス扉３の落下を防ぐため、メンテナンス扉３の開閉方向と交差する方向から扉固定具２２を図４に示すように例えばローレットネジ２８により切り欠き部３００に固定する。その後、ユーザ操作部に設けられた運転スイッチ６やメンテナンス操作部に設けられた強制スイッチ１３などを操作する。なお、メンテナンス扉３の開閉をリミットスイッチ等により検知することで、コントローラ７のモードを操作者と管理者とに区別することで、より効果的なメンテナンスを行うことが可能である。
【００２３】
図１２は、実施の形態における制御盤の非常操作を説明する斜視図である。管理者が第２操作盤１６上の機器を使用する際は、ユーザ扉２及びメンテナンス扉３を開放した状態で、第１操作盤５を開放する。そして、電磁開閉器１７や接続端子１８などの機器を操作する。第１操作盤５の内部に第２操作盤１６を設けたことで、管理者であっても第１操作盤５を開閉しなくては第２操作盤１６上の電磁開閉器１７などの機器に通常触れないため、安全性が高まる。
【００２４】
以上のように、実施の形態によれば、開放することによりユーザ操作部が露出するユーザ扉と、ユーザ扉を開放した状態で開放することにより更にメンテナンス操作部が露出するメンテナンス扉とを備えたことにより、ユーザは目的の機器のみが操作可能となり操作の容易性が向上する。
【００２５】
また、ユーザ扉及びメンテナンス扉に加えて筐体内に中扉となる非常扉を設けるため、感電等の危険を伴う第２操作盤を通常触れない位置に収容でき、安全性が高まる。
また、ユーザ扉又はメンテナンス扉の開閉方向と交差する移動方向を有する扉固定具を用いるため、操作中に手が当たっても移動方向が異なることで、外れにくく固定され、安全性が高まる。
【００２６】
なお、ユーザ扉又はメンテナンス扉とを、ローレットネジと切り欠き、又は硬質ゴムと丸穴とにより固定しているため、素手で頑強に固定が可能である。
また、１つの固定具により、必要に応じてユーザ扉及びメンテナンス扉を固定可能とすることで、複数個の扉固定具を設ける必要がなく、制御盤の小型化が図れる。
【図面の簡単な説明】
【００２７】
【図１】実施の形態における制御盤のユーザ操作部を示す斜視図である。
【図２】実施の形態における制御盤のユーザ操作部を示す正面図である。
【図３】実施の形態における制御盤のメンテナンス操作部を示す斜視図である。
【図４】実施の形態における制御盤のメンテナンス操作部を示す正面図である。
【図５】実施の形態における制御盤の非常操作部を示す斜視図である。
【図６】実施の形態における制御盤の非常操作部を示す正面図である。
【図７】実施の形態における扉固定具（その１）を示す斜視図である。
【図８】実施の形態における扉固定具（その１）を示す分解斜視図である。
【図９】実施の形態における扉固定具（その２）を示す分解斜視図である。
【図１０】実施の形態における制御盤のユーザ操作を説明する斜視図であり、同図（ａ）はユーザ扉の開放を示す斜視図であり、同図（ｂ）は扉固定具の固定を示す斜視図である。
【図１１】実施の形態における制御盤のメンテナンス操作を説明する斜視図である。
【図１２】実施の形態における制御盤の非常操作を説明する斜視図である。
【符号の説明】
【００２８】
１      制御盤
２      ユーザ扉
２ａ      窓
３      メンテナンス扉
４      底板
５      第１操作盤
６      運転スイッチ
６ａ      運転ランプ
７      コントローラ
８      電源ユニット
８ａ      電源スイッチ
８ｂ      電源接続端子台
８ｃ      アース端子
９      送風機スイッチ
１１      警報ランプ
１３      強制スイッチ
１４      配線
１６      第２操作盤
１７      電磁開閉器
１７ａ      過負荷保護装置
１７ｂ      過負荷保護装置リセットボタン
１８      接続端子
１９      コネクタ
２０      避雷素子
２１      連絡配線コネクタ
２２      扉固定具
２２ａ    回動孔
２３      鍔部
２４      ビス
２５      ナット
２６      ワッシャー
２７      中間板
２８      ローレットネジ
２９      硬質ゴム
３１      丸穴
２００    切り欠き部
３００    切り欠き部
【図１】
2006216621.tif 000003
【図２】
2006216621.tif 000004
【図３】
2006216621.tif 000005
【図４】
2006216621.tif 000006
【図５】
2006216621.tif 000007
【図６】
2006216621.tif 000008
【図７】
2006216621.tif 000009
【図８】
2006216621.tif 000010
【図９】
2006216621.tif 000011
【図１０】
2006216621.tif 000012
【図１１】
2006216621.tif 000013
【図１２】
2006216621.tif 000014